(57)【要約】  光記録媒体からデータを再生する方法及び装置を提供する。該データ再生方法は、光記録媒体からウォブル信号を検出するステップと、検出されたウォブル信号からウォブルチャンネル状態を予測するステップと、光記録媒体から情報信号を検出するステップと、検出された情報信号から情報チャンネル状態を予測するステップと、ウォブルチャンネル状態情報または情報チャンネル状態情報に基づいて情報信号を復号化するステップとを含む。これにより、データ再生に情報（ＲＦ）信号のチャンネル状態だけでなく、ウォブル信号のチャンネル状態をさらに予測して利用することによって、データの再生を効果的に行える。
2009525557.tif 000002
【特許請求の範囲】
【請求項１】
光記録媒体からデータを再生する方法において、
前記光記録媒体からウォブル信号を検出するステップと、
前記検出されたウォブル信号からウォブルチャンネル状態を予測するステップと、
前記光記録媒体から情報信号を検出するステップと、
前記検出された情報信号から情報チャンネル状態を予測するステップと、
前記光記録媒体から損傷区間が発生すれば、前記ウォブルチャンネル状態または前記情報チャンネル状態に基づいて前記情報信号を復号化するステップと、を含むことを特徴とするデータ再生方法。
【請求項２】
前記復号化ステップは、
前記光記録媒体から検出された情報信号を、ハード復号方法及びソフト復号方法を利用して復号化するステップを含むことを特徴とする請求項１に記載のデータ再生方法。
【請求項３】
前記復号化ステップは、
前記光記録媒体から検出された情報信号をＰＲＭＬ（Ｐａｒｔｉａｌ  Ｒｅｓｐｏｎｓｅ  Ｍａｘｉｍｕｍ  Ｌｉｋｅｌｉｈｏｏｄ）するステップと、
前記ＰＲＭＬされた信号を復調するステップと、
前記復調された信号をＲＳ（Ｒｅｅｄ−Ｓｏｌｏｍｏｎ）デコードするステップと、を含むことを特徴とする請求項１に記載のデータ再生方法。
【請求項４】
前記チャンネル状態情報は、エラー発生位置情報を表し、
前記ＰＲＭＬステップ、前記復調ステップ、前記ＲＳデコードステップのうち少なくとも一つのステップは、前記エラー発生位置情報を利用して前記エラー発生位置の情報信号をイレイザー訂正処理するステップを含むことを特徴とする請求項３に記載のデータ再生方法。
【請求項５】
前記復号化ステップは、
前記光記録媒体から検出された情報信号を、ソフト値を利用して処理するチャンネル検出ステップと、
前記チャンネル検出された信号をソフト復調するステップと、
前記ソフト復調された信号を、ソフト値を利用して処理するチャンネル復号ステップと、を含むことを特徴とする請求項１に記載のデータ再生方法。
【請求項６】
前記チャンネル状態情報は、検出されたウォブル信号の大きさ情報を表し、
前記チャンネル検出ステップ、前記ソフト復調ステップ、前記チャンネル復号ステップのうち少なくとも一つのステップは、前記ウォブル信号の大きさ情報を利用して前記ウォブル信号の大きさが小さければ、前記情報信号の信頼度が低くなるように前記情報信号の大きさを小さくするステップを含むことを特徴とする請求項５に記載のデータ再生方法。
【請求項７】
請求項１に記載の方法を実行するためのプログラムが保存されたコンピュータで読み取り可能な媒体。
【請求項８】
光記録媒体に／からデータを記録／再生する装置において、
前記光記録媒体からウォブル信号を検出するウォブル信号検出部と、
前記検出されたウォブル信号からウォブルチャンネル状態を予測するウォブルチャンネル状態予測部と、
前記光記録媒体から情報信号を検出する情報信号検出部と、
前記検出された情報信号から情報チャンネル状態を予測する情報チャンネル状態予測部と、を備え、
前記情報信号検出部は、前記ウォブルチャンネル状態情報及び前記情報チャンネル状態情報のうち少なくとも一つで損傷区間が発生すれば、前記ウォブルチャンネル状態情報または前記情報チャンネル状態情報に基づいて前記情報信号を復号化することを特徴とする装置。
【請求項９】
前記情報信号検出部は、
前記光記録媒体から検出された情報信号を、ハード復号方法及びソフト復号方法を利用して復号化することを特徴とする請求項８に記載の装置。
【請求項１０】
前記情報信号検出部は、
前記光記録媒体から検出された情報信号をＰＲＭＬ処理するＰＲＭＬ部と、
前記ＰＲＭＬされた信号を復調する復調部と、
前記復調された信号をＲＳデコードするＲＳデコーダと、を備えることを特徴とする請求項８に記載の装置。
【請求項１１】
前記チャンネル状態情報は、エラー発生位置情報を表し、
前記ＰＲＭＬ部、前記復調部、前記ＲＳデコーダのうち少なくとも一つは、前記エラー発生位置情報を利用して前記エラー発生位置の情報信号をイレイザー訂正処理することを特徴とする請求項１０に記載の装置。
【請求項１２】
前記情報信号検出部は、
前記光記録媒体から検出された情報信号を、ソフト値を利用して処理するチャンネル検出部と、
前記チャンネル検出された信号をソフト復調するソフト復調部と、
前記ソフト復調された信号を、ソフト値を利用して処理するチャンネル復号部と、を備えることを特徴とする請求項８に記載の装置。
【請求項１３】
前記チャンネル状態情報は、検出されたウォブル信号の大きさ情報を表し、
前記チャンネル検出部、前記ソフト復調部、前記チャンネル復号部のうち少なくとも一つは、前記ウォブル信号の大きさ情報を利用して前記ウォブル信号の大きさが小さければ、前記情報信号の信頼度が低くなるように前記情報信号の大きさを小さくすることを特徴とする請求項１２に記載の装置。
【請求項１４】
前記チャンネル検出部は、ＳＯＶＡ（Ｓｏｆｔ  Ｏｕｔｐｕｔ  Ｖｉｔｅｒｂｉ  Ａｌｇｏｒｉｔｈｍ）を備え、前記チャンネル復号部は、ＬＤＰＣ（Ｌｏｗ  Ｄｅｎｓｉｔｙ  Ｐａｒｉｔｙ  Ｃｈｅｃｋ）デコーダまたはターボデコーダを備えることを特徴とする請求項１２に記載の装置。
【請求項１５】
光記録媒体からデータが再生されるデータ再生オペレーション中にデータエラー訂正性能を向上させる方法において、
前記光記録媒体から反射された光ビームから、前記データのウォブルチャンネル状態に関する情報を含むウォブル信号を検出するステップと、
前記光記録媒体から反射された光ビームから、前記データの情報チャンネル状態に関する情報を含む情報信号を検出するステップと、
前記ウォブルチャンネル状態に関する情報及び前記情報チャンネル状態に関する情報のうち少なくとも一つから損傷された部分が発見されれば、前記ウォブルチャンネル状態に関する情報または前記情報チャンネル状態に関する情報に基づいて前記情報信号を復号化するステップと、を含むことを特徴とする方法。
【請求項１６】
前記復号化ステップは、
前記光記録媒体から検出された前記情報信号を、ハード復号化方法またはソフト復号化方法を利用して復号化するステップを含むことを特徴とする請求項１５に記載の方法。
【請求項１７】
前記復号化ステップは、
前記光記録媒体から検出された前記情報信号をＰＲＭＬ処理するステップと、
前記ＰＲＭＬ処理された信号を復調するステップと、
前記復調された信号をＲＳ復号化するステップと、を含むことを特徴とする請求項１５に記載の方法。
【請求項１８】
前記チャンネル状態情報は、エラー発生位置情報を表し、前記ＰＲＭＬ処理ステップ、前記復調ステップ、前記ＲＳ復号化ステップのうち少なくとも一つは、エラー発生位置で情報信号のイレイザー訂正を行うステップを含むことを特徴とする請求項１７に記載の方法。
【請求項１９】
前記復号化ステップは、
前記光記録媒体から検出された前記情報信号がソフト値を利用して処理されるチャンネル検出プロセスと、
前記チャンネル検出された信号がソフト復調されるソフト復調プロセスと、
前記ソフト復調された信号がソフト値を利用して処理されるチャンネル復号化プロセスと、を含むことを特徴とする請求項１５に記載の方法。
【請求項２０】
前記チャンネル状態情報は、前記ウォブル信号の大きさ情報を表し、前記チャンネル検出プロセス、前記ソフト復調プロセス、前記チャンネル復号化プロセスのうち少なくとも一つは、前記ウォブル信号の前記大きさの減少によって、前記情報信号の信頼度値を前記ウォブル信号の大きさ情報を利用して減少させるために、前記情報信号の大きさを減少させるステップを含むことを特徴とする請求項１９に記載の方法。
【請求項２１】
請求項１５に記載の方法を実行するためのプログラムが保存されたコンピュータで読み取り可能な媒体。
【請求項２２】
光記録媒体に／からデータを記録／再生する装置において、
前記光記録媒体から反射された光ビームから、前記データのウォブルチャンネル状態に関する情報を含むウォブル信号を検出するウォブル信号検出部と、
前記光記録媒体から反射された光ビームから、前記データの情報チャンネル状態に関する情報を含む情報信号を検出する情報信号検出部と、
前記ウォブルチャンネル状態に関する情報及び前記情報チャンネル状態に関する情報のうち少なくとも一つから損傷された部分が発見されれば、前記情報信号検出部は、前記ウォブルチャンネル状態に関する情報または前記情報チャンネル状態に関する情報に基づいて前記情報信号を復号化することを特徴とする装置。
【請求項２３】
前記情報信号検出部は、
前記光記録媒体から検出された前記情報信号を、ハード復号化方法またはソフト復号化方法を利用して復号化することを特徴とする請求項２２に記載の装置。
【請求項２４】
前記情報信号検出部は、
前記光記録媒体から検出された前記情報信号をＰＲＭＬ処理するＰＲＭＬユニットと、
前記ＰＲＭＬ処理された信号を復調する復調部と、
前記復調された信号をＲＳ復号化するＲＳ復号化部と、を備えることを特徴とする請求項２２に記載の装置。
【請求項２５】
前記チャンネル状態情報は、エラー発生位置情報を表し、前記ＰＲＭＬユニット、前記復調部、前記ＲＳ復号化部のうち少なくとも一つは、エラー発生位置で情報信号のイレイザー訂正を行うことを特徴とする請求項２４に記載の装置。
【請求項２６】
前記情報信号検出部は、
前記光記録媒体から検出された前記情報信号を、ソフト値を利用して処理するチャンネル検出部と、
前記チャンネル検出された信号をソフト復調するソフト復調部と、
前記ソフト復調された信号をソフト値を利用して処理するチャンネル復号部と、を備えることを特徴とする請求項２２に記載の装置。
【請求項２７】
前記チャンネル状態情報は、前記ウォブル信号の大きさ情報を表し、前記チャンネル検出部、前記ソフト復調部、前記チャンネル復号部のうち少なくとも一つは、前記ウォブル信号の前記大きさの減少によって、前記情報信号の信頼度値を前記ウォブル信号の大きさ情報を利用して減少させるために、前記情報信号の大きさを減少させることを特徴とする請求項２６に記載の装置。
【請求項２８】
前記チャンネル検出部は、ＳＯＶＡを備え、前記チャンネル復号部は、ＬＤＰＣデコーダまたはターボデコーダを備えることを特徴とする請求項２６に記載の装置。
【請求項２９】
前記損傷区間は、前記光記録媒体から検出された前記ウォブルチャンネル状態及び前記情報チャンネル状態のうち少なくとも一つから発見されることを特徴とする請求項１に記載の方法。
【発明の詳細な説明】
【技術分野】
【０００１】
本発明は、光記録媒体からデータを再生する方法及び装置に関する。
【背景技術】
【０００２】
図１は、一般的な光記録媒体の記録／再生装置１００の概略図である。
【０００３】
光記録媒体の記録／再生装置１００は、ＲＦ（Ｒａｄｉｏ  Ｆｒｅｑｕｅｎｃｙ）信号の検出部分が基本的に必要であり、記録可能な場合、ウォブル信号の検出部分がさらに必要でありうる。
【０００４】
ＲＦ信号の検出部分は、既存には二値化器を使用した方法が主に使われたが、最近には記録密度が高くなり、ＲＦ信号に干渉とノイズ成分とが多く入るにつれて、入力信号の確率的分析技法を使用したＰＲＭＬ（Ｐａｒｔｉａｌ  Ｒｅｓｐｏｎｓｅ  Ｍａｘｉｍｕｍ  Ｌｉｋｅｌｉｈｏｏｄ）のような技法が使われる。
【０００５】
一般的にＰＲＭＬを使用するためには、アナログ入力信号をデジタルに変えなければならないため、ＡＤＣ（Ａｎａｌｏｇ−ｔｏ−Ｄｉｇｉｔａｌ  Ｃｏｎｖｅｒｔｅｒ）が必要になり、所望のチャンネル特性を合わせるための等化器がさらに必要な場合もある。また、全体の動作クロック信号を生成するためにＰＬＬ（Ｐｈａｓｅ−Ｌｏｃｋｅｄ  Ｌｏｏｐ）回路が必要である。
【０００６】
ウォブル信号の検出部分は、記録可能なメディアのディスク回転速度と現在の位置情報とを検出するための目的で主に使われるが、ウォブル信号の検出を通じた記録クロックの生成のためのＰＬＬ回路が必要である。最近には、ウォブル信号内に含まれている位置情報を獲得するために、ウォブル信号をＡＤＣによりデジタル信号に変換して処理する場合もある。
【０００７】
一般的な光記録媒体は、図２に示したような構成を有する。トラックセンター部分にデータが保存され、その周囲にウォブルトラックにはサイン波形態のウォブル信号があるが、場合によっては、ウォブル信号にさらにアドレスデータが保存されている場合もある。
【０００８】
図１に示すように、光記録媒体の記録／再生装置１００のウォブル信号の検出部分の動作は、次の通りである。ウォブルトラックから再生されたウォブル信号がＡＤＣ１１０を経てデジタル信号に変換され、ウォブルＰＬＬ  １２０を通じてデジタル信号を処理してアドレス情報を検出できる。
【０００９】
光記録媒体の記録／再生装置のＲＦ信号検出部分の動作は、次の通りである。トラックセンターから再生されたアナログ信号がＡＤＣ  １３０を経てデジタル信号に変換され、ＰＬＬ  １４０を通じてクロック信号を生成する。等化器（ＥＱ）１５０を通じて信号を補正し、ＰＲＭＬ  １６０を通じて情報データを検出できる。チャンネル予測器１７０は、ＥＱ  １５０から出力された信号からチャンネル状態を予測してチャンネル状態情報を出力する。かかるチャンネル状態情報は、以後の情報データの復号に利用される。
【００１０】
光記録媒体の場合、図３のようにホコリ、指紋、スクラッチなどによりその区間のデータが損傷される状況が頻繁に発生する。一般的に、このようにデータ損傷がある場合、エラー訂正を通じて損傷区間のデータを復元する。
【００１１】
しかし、図１に示したようにＲＦ信号のチャンネル予測を通じて損傷区間のデータを復元するものから、さらに効果的なデータ復元方法が要求される。
【発明の開示】
【発明が解決しようとする課題】
【００１２】
本発明の目的は、前記のような問題点を解決して、ウォブル信号を利用した光記録媒体のチャンネル予測を通じてデータエラー訂正能力を向上させるデータ再生方法及びデータ再生装置を提供するところにある。
【課題を解決するための手段】
【００１３】
前記目的を達成するための本発明の一つの特徴は、光記録媒体からデータを再生する方法において、前記光記録媒体からウォブル信号を検出するステップと、前記検出されたウォブル信号からウォブルチャンネル状態を予測するステップと、前記光記録媒体から情報信号を検出するステップと、前記検出された情報信号から情報チャンネル状態を予測するステップと、前記ウォブルチャンネル状態情報及び前記情報チャンネル状態情報のうち少なくとも一つで損傷区間が発生すれば、前記ウォブルチャンネル状態情報または前記情報チャンネル状態情報に基づいて前記情報信号を復号化するステップと、を含むものである。
【００１４】
前記復号化ステップは、前記光記録媒体から検出された情報信号を、ハード復号方法及びソフト復号方法を利用して復号化するステップを含むことが望ましい。
【００１５】
前記復号化ステップは、前記光記録媒体から検出された情報信号をＰＲＭＬするステップと、前記ＰＲＭＬされた信号を復調するステップと、前記復調された信号をＲＳデコードするステップと、を含むことが望ましい。
【００１６】
前記チャンネル状態情報は、エラー発生位置情報を表し、前記ＰＲＭＬステップ、前記復調ステップ、前記ＲＳデコードステップのうち少なくとも一つのステップは、前記エラー発生位置情報を利用して前記エラー発生位置の情報信号をイレイザー訂正処理するステップを含むことが望ましい。
【００１７】
前記復号化ステップは、前記光記録媒体から検出された情報信号を、ソフト値を利用して処理するチャンネル検出ステップと、前記チャンネル検出された信号をソフト復調するステップと、前記ソフト復調された信号を、ソフト値を利用して処理するチャンネル復号ステップと、を含むことが望ましい。
【００１８】
前記チャンネル状態情報は、検出されたウォブル信号の大きさ情報を表し、前記チャンネル検出ステップ、前記ソフト復調ステップ、前記チャンネル復号ステップのうち少なくとも一つのステップは、前記ウォブル信号の大きさ情報を利用して前記ウォブル信号の大きさが小さければ、前記情報信号の信頼度が低くなるように前記情報信号の大きさを小さくするステップを含むことが望ましい。
【００１９】
本発明の他の特徴は、光記録媒体からデータを再生する装置において、前記光記録媒体からウォブル信号を検出するウォブル信号検出部と、前記検出されたウォブル信号からウォブルチャンネル状態を予測するウォブルチャンネル状態予測部と、前記光記録媒体から情報信号を検出する情報信号検出部と、前記検出された情報信号から情報チャンネル状態を予測する情報チャンネル状態予測部と、を備え、前記情報信号検出部は、前記ウォブルチャンネル状態情報及び前記情報チャンネル状態情報のうち少なくとも一つで損傷区間が発生すれば、前記ウォブルチャンネル状態情報または前記情報チャンネル状態情報に基づいて前記情報信号を復号化するものである。
【発明の効果】
【００２０】
本発明によれば、既存の方式であるＲＦ信号のレベルだけでなく、ウォブル信号の大きさ情報を使用してチャンネルの状態を予測することによって、ＲＦ信号を利用してチャンネルを予測できない状況でウォブル信号を利用してそれを補完できるため、データ再生をさらに効果的に行える。
【発明を実施するための最良の形態】
【００２１】
以下、添付された図面を参照して、本発明を詳細に説明する。
【００２２】
既存にＲＦ信号を利用してチャンネルを予測できない状況では、ウォブル信号を利用してそれを補完できる。例えば、指紋によるエラー発生時には、ＲＦ信号を使用してはそれを検出できない。しかし、ウォブル信号は、データビット長がさらに長いため、指紋によるエラー検出がさらに容易である。また、ＲＦ信号を利用してチャンネルを予測する場合にも、ウォブル信号によるチャンネル情報を付加的に使用してチャンネル予測の正確度をさらに向上させる。
【００２３】
図４は、本発明による光記録媒体の記録／再生装置４００の一例を示すブロック図である。図４に示すように、記録／再生装置４００は、ＡＤＣ  ４０５、ウォブルＰＬＬ  ４１０、チャンネル予測器４１５、ＡＤＣ  ４２０、ＰＬＬ  ４２５、等化器（ＥＱ）４３０、ＰＲＭＬ  ４３５、復調器４４０、チャンネル予測器４４５及びＲＳデコーダ４５０を備える。
【００２４】
ＡＤＣ  ４０５及びウォブルＰＬＬ  ４１０は、光記録媒体のウォブルトラックからウォブル信号を検出する部分である。ウォブル信号の検出時、ＡＤＣ  ４０５は、場合によって省略し、単純スライサーに代替される場合もある。
【００２５】
チャンネル予測器４１５は、検出されたウォブル信号からウォブルチャンネル状態を予測する部分である。チャンネル予測器４１５は、ウォブル信号の大きさ情報を抽出して、正常状態の信号より大きさが小さくなる場合に異常があると判断し、かかる異常がある損傷区間についての情報、すなわちエラー発生位置情報をＰＲＭＬ  ４３５、復調器４４０、ＲＳデコーダ４５０のうち少なくとも一つに提供する。
【００２６】
ＡＤＣ  ４２０、ＰＬＬ  ４２５、ＥＱ  ４３０、ＰＲＭＬ  ４３５、復調器４４０、ＲＳデコーダ４５０は、光記録媒体のセンタートラックからＲＦ信号を検出する部分である。ＲＦ信号検出部分のＰＲＭＬ  ４３５は、必ずしも必要なものではない。チャンネル予測器４４５は、検出されたＲＦ信号からＲＦチャンネル状態を予測する部分である。
【００２７】
本発明は、ＲＦ信号だけでなく、ウォブル信号の情報を使用してチャンネル予測器を通じてチャンネル状態を予測する。かかるチャンネル状態情報は、ＲＦ信号の復号化に利用される。
【００２８】
図４に示したように、ハードデコード方式を利用して光記録媒体からデータを再生する場合に、チャンネル状態情報は、エラーが発生した位置を知らせるエラー発生位置情報となりうる。
【００２９】
図４に示すように、ＰＲＭＬ  ４３５、復調器４４０、ＲＳデコーダ４５０のうち少なくとも一つは、ＲＦチャンネル状態情報とウォブルチャンネル状態情報とを受信して、二つのうち一つでも損傷区間を発見すれば、かかるチャンネル状態情報、すなわちエラー発生位置情報を利用して、その損傷区間に該当する入力データをイレイザー訂正することによってエラー訂正能力を向上させる。
【００３０】
図５は、本発明による光記録媒体の記録／再生装置５００の他の例を示すブロック図である。ソフト方式でデコーディングされるシステムの場合は、図５に示したようにＰＲＭＬの代わりにソフト方式の検出器に代替できる。図５に示すように、記録／再生装置５００は、ＡＤＣ  ５０５、ウォブルＰＬＬ  ５１０、チャンネル予測器５１５、ＡＤＣ  ５２０、ＰＬＬ  ５２５、ＥＱ  ５３０、ＳＯＶＡ（Ｓｏｆｔ  Ｏｕｔｐｕｔ  Ｖｉｔｅｒｂｉ  Ａｌｇｏｒｉｔｈｍ）５３５、ソフト復調器５４０、チャンネル予測器５４５及びＬＤＰＣ（Ｌｏｗ  ＤｅｎｓｉｔｙＰａｒｉｔｙ  Ｃｈｅｃｋ）デコーダ５５０を備える。
【００３１】
ＡＤＣ  ５０５及びウォブルＰＬＬ  ５１０は、光記録媒体のウォブルトラックからウォブル信号を検出する部分である。ウォブル信号の検出時、ＡＤＣ  ５０５は、場合によって省略し、単純スライサーに代替される場合もある。
【００３２】
チャンネル予測器５１５は、検出されたウォブル信号からウォブルチャンネル状態を予測する部分である。ウォブル信号を利用したチャンネル予測器５１５は、信号の大きさ情報を利用してチャンネルの状態を抽出する。すなわち、チャンネル予測器５１５は、ウォブル信号の大きさ情報を抽出して、正常状態の信号よりその大きさが小さくなる場合に異常があると判断すれば、かかる異常がある損傷区間についてのチャンネル状態情報をＳＯＶＡ  ５３５、ソフト復調器５４０、ＬＤＰＣデコーダ５５０のうち少なくとも一つに提供する。チャンネル予測器の構造は、ウォブル信号の包絡線検出器を使用できる。チャンネル状態が悪ければ、信号が損傷されて大きさが縮まり、包絡線検出を使用すれば、その損傷された部分を見つけることができる。
【００３３】
ＡＤＣ  ５２０、ＰＬＬ  ５２５、ＥＱ  ５３０、ＳＯＶＡ  ５３５、ソフト復調器５４０及びＬＤＰＣデコーダ５５０は、光記録媒体のセンタートラックからＲＦ信号を検出する部分である。図５でＳＯＶＡ  ５３５及びＬＤＰＣデコーダ５５０を利用したが、本発明は、これに限定されず、ＳＯＶＡの代わりにソフト値を処理するチャンネル検出器であればよく、ＬＤＰＣデコーダの代わりにソフト値を処理するチャンネル復号器であればよい。例えば、ＬＤＰＣデコーダの代わりにターボデコーダが利用されうる。
【００３４】
チャンネル予測器５４５は、検出されたＲＦ信号からＲＦチャンネル状態を予測する部分である。
【００３５】
図５に示したように、ＬＤＰＣデコーダ５５０を使用する場合には、エラー発生程度を表すソフト値の信号を使用できる。すなわち、正しければ１、エラーのあるほど０に近い値を出力する。このように、チャンネルの状態値を利用してＬＤＰＣデコーダ５５０に入力される信号の信頼性値を調整してエラー訂正能力を向上させる。
【００３６】
チャンネル情報は、基本的にＬＤＰＣデコーダ５５０で使われ、ＳＯＶＡ  ５３５やソフト復調器５４０でも使われる。すなわち、ＳＯＶＡ  ５３５、ソフト復調器５４０、ＬＤＰＣデコーダ５５０では、ＲＦ信号のチャンネル予測及びウォブル信号のチャンネル予測を通じて、チャンネルの状態が良いと判断されれば、データ信号の信頼度を向上させ、チャンネルの状態が悪ければ、データ信号の信頼度を低下させることによって、ソフトデコーダのエラー訂正能力を向上させる。ＲＦ信号及びウォブル信号のチャンネル予測は同時に行われる必要はなく、それぞれ予測されたエラー結果がそれぞれ入力されるか、または同時に入力されることもある。読み取り専用のディスクの場合は、ウォブル信号がないため、ＲＦ信号の予測されたエラー結果のみが使われる。
【００３７】
ソフトデコーダの場合、入力信号の確率情報を利用して信頼性を計算してデコーディングに使用し、この特性により優秀なエラー訂正能力を表す。したがって、データ信頼度をさらに正確に計算するために、正確なチャンネル状態の予測が重要である。０に近いチャンネル値が入力されるならば、その区間のビットは、エラーのある可能性が高いということを表すので、ＲＦ信号の復号化処理時に該当ビットの信頼性をさらに低下させる。１に近いチャンネル値が入力されるならば、その区間のビットは、エラーのある可能性が低いということを表すので、ＲＦ信号の復号化処理時に該当ビットの信頼性をさらに向上させる。
【００３８】
図６は、本発明によるデータ再生性能をシミュレーションするための指紋によるデータ損傷モデルを示す。縦軸は、信号の大きさを表すが、指紋によるデータ損傷の場合、信号の形態はサイン波形態を有する。
【００３９】
図７は、図６に示したような指紋モデルに対して従来の方法と本発明による方法とを適用してシミュレーションした結果であって、本発明を適用したデータ再生方法によれば、従来のデータ再生方法よりｂＥＲ（Ｂｉｔ  Ｅｒｒｏｒ  Ｒａｔｉｏ）が半分に減るということが分かる。
【００４０】
前述したような再生方法は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（リード  オンリ  メモリ）、ＲＡＭ（ランダム  アクセス  メモリ）、ＣＤ−ＲＯＭ、磁気テープ、フロッピー（登録商標）ディスク、光データ保存装置などがあり、また、キャリアウェーブ（例えば、インターネットを通じた伝送）の形態に具現されるものも含む。また、コンピュータで読み取り可能な記録媒体は、ネットワークに連結されたコンピュータシステムに分散されて、分散方式でコンピュータで読み取り可能なコードが保存されて実行されうる。そして、前記再生方法を具現するための機能的なプログラム、コード及びコードセグメントは、本発明が属する技術分野のプログラマーにより容易に推論されうる。
【００４１】
以上のように、本発明によれば、既存の方式であるＲＦ信号のレベルだけでなく、ウォブル信号の大きさ情報を使用してチャンネルの状態を予測することによって、ＲＦ信号を利用してチャンネルを予測できない状況でウォブル信号を利用してそれを補完できるため、データ再生をさらに効果的に行える。
【００４２】
これまで、本発明について、その望ましい実施形態を中心に述べた。当業者は、本発明が、本発明の本質的な特性から逸脱しない範囲で変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【図面の簡単な説明】
【００４３】
【図１】一般的な光記録媒体の記録／再生装置の概略図である。
【図２】一般的な光記録媒体の構成を示す図である。
【図３】ホコリ、指紋、スクラッチなどによりその区間のデータが損傷される光記録媒体の形態を示す図である。
【図４】本発明による光記録媒体の記録／再生装置の一例を示す図である。
【図５】本発明による光記録媒体の記録／再生装置の他の例を示す図である。
【図６】本発明によるデータ再生性能をシミュレーションするための指紋によるデータ損傷モデルを示す図である。
【図７】図６に示したような指紋モデルに対して従来の方法と本発明による方法とを適用してシミュレーションした結果を示す図である。
【図１】
2009525557.tif 000003
【図２】
2009525557.tif 000004
【図３】
2009525557.tif 000005
【図４】
2009525557.tif 000006
【図５】
2009525557.tif 000007
【図６】
2009525557.tif 000008
【図７】
2009525557.tif 000009
【国際調査報告】
2009525557.tif 000010
2009525557.tif 000011